(57)【要約】【課題】  正面壁に窓があるため側壁にミラーキャビネットを取付けた洗面化粧台において、ミラーキャビネットと窓が室の隅に近づけて配置されてもミラーキャビネットが邪魔にならずに窓を開閉することができる洗面化粧台を提供する。【解決手段】  洗面化粧台２のボールキャビネットが、窓７のある正面壁８とこれに直角な側壁９とがなす洗面脱衣室６の隅１０またはその近傍に配置され、ミラーキャビネット１が隅に近づけて側壁に取付けられ、窓が隅に近づけて正面壁に取付けられている。ミラーキャビネット１の両側部２０，２１のうち隅側に位置する第１の側部２０の一部または全部を平面視で第１の傾斜面２２にして、サッシの縁２４にユーザーの手が届くための操作用スペース２５を確保している。【選択図】    図４
2005144018.tif 000002
【特許請求の範囲】
【請求項１】
洗面ボールを有するボールキャビネットが、開閉可能な窓のある正面壁とこの正面壁に直角な側壁とがなす室の隅またはその近傍に配置され、ミラーキャビネットが前記隅に近づけて前記側壁に取付けられ、前記窓が前記隅に近づけて前記正面壁に取付けられた洗面化粧台であって、
前記ミラーキャビネットの両側部のうち前記隅側に位置する第１の側部の一部または全部を平面視で第１の傾斜面にして、前記窓の隅側操作部にユーザーの手が届くための操作用スペースを確保したことを特徴とする洗面化粧台。
【請求項２】
請求項１に記載の洗面化粧台であって、前記ミラーキャビネットの前記第１の傾斜面は平面視でほぼ平面または曲面であることを特徴とする洗面化粧台。
【請求項３】
請求項１または２に記載の洗面化粧台であって、前記ミラーキャビネットの前記両側部のうち前記隅とは反対側に位置する第２の側部の一部または全部を、平面視で第２の傾斜面にしたことを特徴とする洗面化粧台。
【請求項４】
請求項３に記載の洗面化粧台であって、前記第２の側部は被収納物を収納可能な収納部を有していることを特徴とする洗面化粧台。
【発明の詳細な説明】
【技術分野】
【０００１】
本発明は、正面壁に窓があるため側壁にミラーキャビネットを取付けた洗面化粧台に関する。
【背景技術】
【０００２】
洗面脱衣室などを新築または改築した際に、洗面化粧台の正面壁に窓が設置されることがある。この場合、図７に示すように、正面壁８の窓７がミラーキャビネットで塞がれるのを防止するために、側壁９にミラーキャビネット１０１を取付けて通常の洗面化粧台（すなわち、正面壁８にミラーキャビネットがある洗面化粧台）と同等の使い勝手を実現している洗面化粧台１０２が知られている。
たとえば、特許文献１（実開昭６１−１２９５８９号公報），特許文献２（実開昭５６−７３３７４号公報）には、正面壁に窓があるため側壁にミラーキャビネットを取付けた洗面化粧台が記載されている。
【特許文献１】実開昭６１−１２９５８９号公報
【特許文献２】実開昭５６−７３３７４号公報
【発明の開示】
【発明が解決しようとする課題】
【０００３】
図７（特許文献１，特許文献２も同様）に示す洗面化粧台１０２は、正面壁８に窓７があるため側壁９にミラーキャビネット１０１を取付け、ミラーキャビネット１０１と窓７が室（たとえば、洗面脱衣室）６の隅１０に近づけて取付けられている。
この場合には、窓７の両脇のサッシの縁２４などに手を掛けて窓７を開閉する際に、ミラーキャビネット１０１が平面視で矩形状であると、隅１０側に位置する側部（すなわち、奥の方の側部）１０４が窓７の開閉作業の邪魔になるという課題があった。
これを防ぐために、ミラーキャビネット１０１の設置位置を手前方向（室６の隅１０から離れる方向で、図７の矢印Ｂ方向）に大きく寄せてしまうと、ミラー部を開いたときのミラーキャビネット１０１が洗面作業の邪魔になってしまう。
【０００４】
また、ユーザーは、洗面ボールの前で、側壁９に取付けられたミラーキャビネット１０１に被収納物を出し入れすることが多い。
ところが、ミラーキャビネット１０１が平面視で矩形状の場合、ユーザーは、ミラーキャビネット１０１内に被収納物を出し入れするには、ユーザーから見て真横方向への動作で出し入れしなければならない。そのため、ミラーキャビネット１０１の手前側の側部１０３が邪魔になって使い勝手がよくなかった。
【０００５】
本発明は、このような課題を解決するためになされたもので、正面壁に窓があるため側壁にミラーキャビネットを取付けた洗面化粧台において、ミラーキャビネットと窓が室の隅に近づけて配置されてもミラーキャビネットが邪魔にならずに窓を開閉することができる洗面化粧台を提供することを目的とする。
【課題を解決するための手段】
【０００６】
上述の目的を達成するため、本発明にかかる洗面化粧台は、洗面ボールを有するボールキャビネットが、開閉可能な窓のある正面壁とこの正面壁に直角な側壁とがなす室の隅またはその近傍に配置され、ミラーキャビネットが前記隅に近づけて前記側壁に取付けられ、前記窓が前記隅に近づけて前記正面壁に取付けられた洗面化粧台であって、前記ミラーキャビネットの両側部のうち前記隅側に位置する第１の側部の一部または全部を平面視で第１の傾斜面にして、前記窓の隅側操作部にユーザーの手が届くための操作用スペースを確保している。
前記ミラーキャビネットの前記第１の傾斜面は平面視でほぼ平面または曲面であるのが好ましい。
また、前記ミラーキャビネットの前記両側部のうち前記隅とは反対側に位置する第２の側部の一部または全部を、平面視で第２の傾斜面にするのが好ましい。この場合、前記第２の側部は被収納物を収納可能な収納部を有しているのが好ましい。
【発明の効果】
【０００７】
本発明は上述のように構成したので、正面壁に窓があるため側壁にミラーキャビネットを取付けた洗面化粧台において、ミラーキャビネットと窓が室の隅に近づけて配置されてもミラーキャビネットが邪魔にならずに窓を開閉することができる。
【発明を実施するための最良の形態】
【０００８】
下記の実施例では、ミラーキャビネットの両側部のうち隅側に位置する第１の側部を平面視で第１の傾斜面にして操作用スペースを確保することにより、ミラーキャビネットが邪魔にならずに窓を容易に開閉することができるという目的を実現している。
【実施例】
【０００９】
以下、本発明にかかる実施例を、図１ないし図６を参照して説明する。
図１は洗面化粧台の平面図、図２，図３は、それぞれ図１のII線矢視図，III線矢視図、図４は図３のIV−IV線平面断面図、図５（Ａ）は、ミラー部を開けた状態のミラーキャビネットを示す図、図５（Ｂ）は図５（Ａ）のＶ−Ｖ線矢視図である。図６（Ａ），（Ｂ）は、ミラーキャビネットの変形例，他の変形例をそれぞれ示す平面断面図で、図４相当図である。
なお、説明の便宜上、図３，図４の矢印Ｄ1，Ｄ2，Ｄ3，Ｄ4を、それぞれミラーキャビネット１の左方，右方，前方，後方として説明する。
【００１０】
図１ないし図６に示すように、洗面化粧台２は、洗面ボール３を有するボールキャビネット４と、ミラー部５を有するミラーキャビネット１，１ａ，１ｂとを備えており、室としての洗面脱衣室６に設置されている。
ボールキャビネット４は、開閉可能な窓７のある正面壁８と、正面壁８に直角な側壁９とがなす洗面脱衣室６の隅１０に（または、隅１０の近傍に）配置されている。窓７は、隅１０に近づけて正面壁８に取付けられており、ボールキャビネット４は窓７の下方に位置している。ミラーキャビネット１，１ａ，１ｂは、隅１０に近づけて側壁９に取付けられている。
このように、正面壁８に窓７があるため、側壁９に洗面化粧台２のミラーキャビネット１，１ａ，１ｂを取付けている。ミラーキャビネット１，１ａ，１ｂを側壁９に設けたので、ミラー部５を閉じておけば、窓７がミラーキャビネットにより塞がれることはない。
【００１１】
ミラーキャビネット１，１ａ，１ｂには、開閉可能なミラー部５が取付けられており、ミラー部５は、第１の側部２０側のヒンジに支持されて開閉可能である。ミラー部５の表裏両面に鏡が取付けられているので、ミラー部５は開状態，閉状態の両方で使用可能である。ミラーキャビネット１，１ａ，１ｂの内部には、洗面用の小物などの被収納物を収納可能である。
ミラーキャビネット１，１ａ，１ｂには、照明具３０，照明具３０をオン，オフするためのスイッチ，コンセントなども設けられている。
【００１２】
洗面化粧台２は、ミラーキャビネット１，１ａ，１ｂの両側部２０，２１のうち隅１０側に位置する第１の側部２０の一部または全部（ここでは、全部）を、平面視で第１の傾斜面２２，２２ａ，２２ｂにしている。これにより、窓７の隅側操作部（たとえば、サッシの縁２４）にユーザーの手が届くための操作用スペース２５を確保している。
このようにすれば、ミラーキャビネット１，１ａ，１ｂと窓７が洗面脱衣室６の隅１０に近づけて配置されても、ミラーキャビネット１，１ａ，１ｂが邪魔にならずにユーザーは手を伸ばして窓７を開閉することができる。
ミラーキャビネット１の第１の傾斜面２２は平面視でほぼ平面である。隅１０側に位置する第１の側部２０を平面視で斜めにカットすることにより、操作用スペース２５は、平面視で前方側の方が次第に広がるような形状になる。
その結果、ユーザーは、ボールキャビネット４の前方位置で、操作用スペース２５に手を伸ばしサッシの縁２４を操作して窓７を開閉することができる。すなわち、ユーザーが隅１０の方向に手を伸ばしたとき、ミラーキャビネット１，１ａ，１ｂの第１の側部２０が邪魔にならないので、サッシの縁２４を持って窓７を容易に開閉することができる。
ミラーキャビネット１，１ａ，１ｂを隅１０に近づけて配置できるので、ミラーキャビネットの使い勝手がよくなり、また、洗面脱衣室６の室内を広く有効に利用できる。
【００１３】
図６（Ａ），（Ｂ）に示すミラーキャビネット１ａ，１ｂにおける第１の傾斜面２２ａ，２２ｂは、平面視で曲面になっている。ミラーキャビネット１ａの第１の傾斜面２２ａは、平面視で外方に膨らんだ曲面（たとえば、部分円筒状）をなしている。これに対して、ミラーキャビネット１ｂの第１の傾斜面２２ｂは、平面視で窪んだ曲面（たとえば、部分円筒状）をなしている。
いずれの傾斜面２２ａ，２２ｂの場合も、隅１０に通じる操作用スペース２５が確保され、この操作用スペース２５はミラーキャビネット１ａ，１ｂの前方側の方が次第に広くなっている。
その結果、ユーザーは操作用スペース２５に手を伸ばし、サッシの縁２４を操作して窓７を開閉することができる。なお、第１の傾斜面２２ｂは平面視で窪んだ曲面であるので、操作用スペース２５がより広くなり、窓７の開閉操作がさらに容易になるので好ましい。
【００１４】
洗面化粧台２は、ミラーキャビネット１，１ａ，１ｂの両側部２０，２１のうち隅１０とは反対側に位置する第２の側部２１の一部または全部を、平面視で第２の傾斜面２６にしている。第２の傾斜面２６は、平面視でほぼ平面または曲面（ここでは、曲面）である。図１〜図６に示す第２の傾斜面２６は、外方に膨らんだ曲面（ここでは、部分円筒状）になっている。
ユーザーが、洗面ボール３の前に位置した状態で、ミラーキャビネット１，１ａ，１ｂに対して被収納物を出し入れする際、ミラーキャビネット１，１ａ，１ｂの手前側の第２の側部２１はユーザー方向に大きく飛び出ていないので邪魔にならず、ミラーキャビネット１，１ａ，１ｂに対して被収納物を横方向に出し入れするのが容易である。
このように、側壁９にミラーキャビネット１，１ａ，１ｂを取付けた場合には、ユーザーから見て真横方向に動作してミラーキャビネット１，１ａ，１ｂに被収納物を出し入れしなければならないが、第２の側部２１を平面視で第２の傾斜面２６にしたので、被収納物の出し入れが容易になり、洗面作業が改善される。
【００１５】
ミラーキャビネット１，１ａ，１ｂの第２の側部２１は、洗面用の小物２７など被収納物を収納可能な収納部を有している。この収納部として、複数（ここでは、二つ）の有底凹状の収納部２８の場合を示しているが、収納部２８の数は二つ以外の場合であってもよく、またその形状はトレー状やその他所定形状であってもよい。
このように、収納部２８を第２の側部２１に設けることにより、ユーザーにとって使い勝手がよくなり、また、ミラーキャビネット１，１ａ，１ｂにおける収納能力が向上するので好ましい。
【００１６】
以上、本発明の実施例（各変形例を含む）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００１７】
本発明は、正面壁に窓があるため側壁にミラーキャビネットを取付けた洗面化粧台に適用可能である。
【図面の簡単な説明】
【００１８】
【図１】図１ないし図６は本発明の実施例を示す図で、図１は洗面化粧台の平面図である。
【図２】図１のII線矢視図である。
【図３】図１のIII線矢視図である。
【図４】図３のIV−IV線平面断面図である。
【図５】図５（Ａ）はミラー部を開けた状態のミラーキャビネットを示す図、図５（Ｂ）は図５（Ａ）のＶ−Ｖ線矢視図である。
【図６】図６（Ａ），（Ｂ）は、ミラーキャビネットの変形例，他の変形例をそれぞれ示す平面断面図で、図４相当図である。
【図７】従来のミラーキャビネットを有する洗面化粧台を示す平面断面図で、図４相当図である。
【符号の説明】
【００１９】
１，１ａ，１ｂ    ミラーキャビネット
２    洗面化粧台
３    洗面ボール
４    ボールキャビネット
６    洗面脱衣室（室）
７    窓
８    正面壁
９    側壁
１０  隅
２０  第１の側部（側部）
２１  第２の側部（側部）
２２，２２ａ，２２ｂ    第１の傾斜面
２４  サッシの縁（隅側操作部）
２５  操作用スペース
２６  第２の傾斜面
２７  洗面用の小物（被収納物）
２８  収納部
【図１】
2005144018.tif 000003
【図２】
2005144018.tif 000004
【図３】
2005144018.tif 000005
【図４】
2005144018.tif 000006
【図５】
2005144018.tif 000007
【図６】
2005144018.tif 000008
【図７】
2005144018.tif 000009